(57)【要約】【課題】簡単な構成で、ゆらゆらと動くランダムな明るさを模擬することできる電球を提供する。【解決手段】内部にフィラメントが配設されたバルブと、上記バルブの端部側に一方の端部が配設されたケースと、上記ケースの内部に配設され、上記フィラメントと電気的に接続されて上記フィラメントに流れる電流の電流値を変化させる調光ユニットと、上記ケースの他方の端部に配設され、上記調光ユニットと電気的に接続された外部電極たる口金とを有し、上記バルブと上記ケースと上記調光ユニットと上記口金とが一体化されているようにした。【選択図】        図１
2005085606.tif 000002
【特許請求の範囲】
【請求項１】
内部にフィラメントが配設されたバルブと、
前記バルブの端部側に一方の端部が配設されたケースと、
前記ケースの内部に配設され、前記フィラメントと電気的に接続されて前記フィラメントに流れる電流の電流値を変化させる調光ユニットと、
前記ケースの他方の端部に配設され、前記調光ユニットと電気的に接続された外部電極たる口金と
を有し、
前記バルブと前記ケースと前記調光ユニットと前記口金とが一体化されている
ことを特徴とする電球。
【請求項２】
請求項１に記載の電球において、
前記調光ユニットは、前記フィラメントに流れる電流の電流値の大きさを設定するための第１のボリュームつまみと、前記フィラメントに流れる電流の電流値の大きさが時間軸で変化する強弱を設定するための第２のボリュームつまみとを有し、
前記ケースは、壁面に開口する孔が穿設された略筒状体よりなり、
前記ケースの前記孔の開口位置に前記第１のボリュームつまみおよび前記第２のボリュームつまみが配置された
ことを特徴とする電球。
【発明の詳細な説明】
【技術分野】
【０００１】
本発明は、電球に関し、さらに詳細には、ろうそくの炎などを模擬する照明装置などに用いて好適な電球に関する。
【背景技術】
【０００２】
近年、商業施設や家庭用の照明装置として、ろうそくの炎のようにゆらゆらと動くランダムな明るさを電気的に模擬した照明装置が提案されている。
【０００３】
こうした従来の照明装置は、通常の照明装置に、その光源の光出力を調整するためのコントローラーを外付けして付加することによって、ろうそくの炎を模擬した揺らめく明かりを実現するものである。
【０００４】
しかしながら、上記した従来の照明装置においては、別体のコントローラーを外付けして付加するので、照明装置を設置する場所において当該コントローラーが邪魔になってしまったり、あるいは、コントローラーが視覚的に目立ってインテリアとしての照明装置の美観を損ねるという問題点があった。
【０００５】
また、複数の光源を用いて照明装置を構成し、当該複数の光源のそれぞれを制御してろうそくの炎を模擬するようにしたものも提案されている。
【０００６】
しかしながら、こうした照明装置には複数の光源が配設されるので、高コストであるとともに、制御が複雑になってしまうという問題点があった。
【発明の開示】
【発明が解決しようとする課題】
【０００７】
本発明は、上記したような従来の技術の有する種々の問題点に鑑みてなされたものであり、その目的とするところは、簡単な構成で、ゆらゆらと動くランダムな明るさを模擬することできる電球を提供しようとするものである。
【課題を解決するための手段】
【０００８】
上記目的を達成するために、本発明のうち請求項１に記載の発明は、内部にフィラメントが配設されたバルブと、上記バルブの端部側に一方の端部が配設されたケースと、上記ケースの内部に配設され、上記フィラメントと電気的に接続されて上記フィラメントに流れる電流の電流値を変化させる調光ユニットと、上記ケースの他方の端部に配設され、上記調光ユニットと電気的に接続された外部電極たる口金とを有し、上記バルブと上記ケースと上記調光ユニットと上記口金とが一体化されているようにしたものである。
【０００９】
従って、本発明のうち請求項１に記載の発明によれば、バルブとケースと調光ユニットと口金とが一体化された簡単な構成で、調光ユニットによってフィラメントに流れる電流の電流値が変化され、ゆらゆらと動くランダムな明るさを模擬することできる。
【００１０】
また、本発明のうち請求項２に記載の発明は、請求項１に記載の発明において、上記調光ユニットは、上記フィラメントに流れる電流の電流値の大きさを設定するための第１のボリュームつまみと、上記フィラメントに流れる電流の電流値の大きさが時間軸で変化する強弱を設定するための第２のボリュームつまみとを有し、上記ケースは、壁面に開口する孔が穿設された略筒状体よりなり、上記ケースの上記孔の開口位置に上記第１のボリュームつまみおよび上記第２のボリュームつまみが配置されたようにしたものである。
【発明の効果】
【００１１】
本発明は、以上説明したように構成されているので、簡単な構成で、ゆらゆらと動くランダムな明るさを模擬することできるようになるという優れた効果を奏する。
【発明を実施するための最良の形態】
【００１２】
以下、添付の図面に基づいて、本発明による電球の実施の形態の一例を詳細に説明するものとする。
【００１３】
図１には、本発明による電球の実施の形態の一例の一部を破断して示した概略構成一部断面図が示されている。
【００１４】
この電球１０は、内部１２ａにフィラメント１４が配設されたバルブ１２と、バルブ１２の端部１２ｂ側に配設されたケース１６と、ケース１６の内部１６ａに配設された調光ユニット１８と、ケース１６の蓋部２４（後述する。）側に配設された口金２０とを有して構成されている。
【００１５】
バルブ１２は、ガラスにより形成されており、端部１２ｂ側が封止されて、内部１２ａにはガスが封入されている。さらに、端部１２ｂ側には、ガラス管部１２ｃが形成されており、当該ガラス管部１２ｃ内には、ガス抜きのための排気管１２ｄが延設されるとともに、内部１２ａに配設されたフィラメント１４と接続する外部導入線１４ａが位置している。
【００１６】
また、口金２０は、後に詳述するケース１６の蓋部２４側に配設されており、ネジ込み式の口金であって、照明装置１００の電球ソケット１０２とネジ結合するものである。
【００１７】
そして、ケース１６は、略円筒状の本体部２２と、略ドーナツ形状の蓋部２４とからなり、本体部２２ならびに蓋部２４は、例えば、樹脂により形成されている。
【００１８】
本体部２２の略円形形状の上方開口部２２ａは、バルブ１２の端部１２ｂが挿入されて緊密に嵌合される大きさの内径を有するように寸法設定されており、略円形形状の下方開口部２２ｂは、蓋部２４が挿入されて緊密に嵌合される大きさの内径を有するように寸法設定されている（図２（ａ）（ｂ）参照）。
【００１９】
さらに、本体部２２の上方開口部２２ａから壁面２２ｃの内周側に延長されて斜面部２２ｄが形成されている。この斜面部２２ｄは、上方開口部２２ａから挿入されたバルブ１２の端部１２ｂが係止可能な傾斜を備えており、当該斜面部２２ｄにバルブ１２の端部１２ｂが係止され、さらに接着剤が塗布されて、ケース１６はバルブ１２の端部１２ｂに安定して取り付けられるものである。
【００２０】
そして、本体部２２の壁面２２ｃには、略円形形状に開口する２つの孔２２ｅ，２２ｆが隣接して穿設されている。孔２２ｅは、孔２２ｅが壁面２２ｃの内周側において開口する略円形形状の開口部２２ｅｅ近傍に、後述する明るさ調整用のボリュームつまみ３０が位置するように寸法設定されており、孔２２ｆは、孔２２ｆが壁面２２ｃの内周側において開口する略円形形状の開口部２２ｆｆ近傍に、後述するゆらぎ調整用のボリュームつまみ３２が位置するように寸法設定されている。
【００２１】
一方、蓋部２４は、全体が略ドーナツ形状を備えており、略中央部位に穿設された孔部２４ａの縁部に沿って突部２４ｂが形成されている。そして、蓋部２４の外周縁部２４ｃが本体部２２の下方開口部２２ｂに嵌合し、図示しないネジでネジ止めされて、ケース１６の内部１６ａが形成されるものである（図３（ａ）（ｂ）参照）。
【００２２】
また、蓋部２４の突部２４ｂ近傍には、丸孔２４ｄが穿設されており、この丸孔２４ｄを通って後述する制御回路２８の入力端子に接続される配線４０がケース１６の外部に至るようになされている。
【００２３】
そして、ケース１６の本体部２２と蓋部２４とによって形成されるケース１６の内部１６ａには、調光ユニット１８が配設されている。より詳細には、調光ユニット１８は、回路基板２６に形成された制御回路２８と、制御回路２８に接続された明るさ調整用のボリュームつまみ３０ならびにゆらぎ調整用のボリュームつまみ３２とからなるものである。なお、図２（ｂ）においては、ケース１６の内部１６ａに配設される位置に対応させて調光ユニット１８が破線で示されている。
【００２４】
この調光ユニット１８の制御回路２８は、例えば、図４に示すような回路構成を有するものである。なお、この図４に示すような回路構成は、光源からの光出力が時間軸で不規則に変化するように調節する回路として公知のものである。
【００２５】
この制御回路２８の入力端子は、当該入力端子に接続された配線４０がケース１６の蓋部２４に形成された丸孔２４ｄを通ってケース１６の外部に至り、蓋部２４側に配設された口金２０と接続されている。また、制御回路２８の出力端子は、当該出力端子に接続された配線４２がケース１６の本体部２２の上方開口部２２ａからバルブ１２のガラス管部１２ｃ内に至り、当該ガラス管部１２ｃ内に位置する外部導入線１４ａと接続されている。
【００２６】
そして、ヒューズ（Ｆ１）とコンデンサ（Ｃ１）とで入力端子から入力される交流電流の電流値を制限をして、ダイオード（ＹＢ６）で整流して直流電流を作り、ダイオード（Ｄ１）で台形状に電流の波高値に制限をかけて、ダイオード（Ｄ４）と抵抗（Ｒ２）を介して、トランジスタ（ＴＲ１）で位相制御するためのスタートパルスを作る。また、ダイオード（Ｄ２）の整流器を介して、コンデンサ（Ｃ２）で電流を平滑化して完全な直流として電源レギュレータ（Ｄ３）に送り、中央処理装置（ＣＰＵ１）とフォトカプラ（Ｈ１）に必要な作動電源を供給する。そして、中央処理装置（ＣＰＵ１）たる簡易コンピューターが予め記憶させておいたデータに基づいて、時間軸に沿って電球１０の明るさの制御を行うようになされている。
【００２７】
ここで、図４に示す回路構成の明暗調整部を制御するための外部操作子として、明るさ調整用のボリュームつまみ３０が回路基板２６に配設されており、図４に示す回路構成のゆらぎ調整部を制御するための外部操作子として、ゆらぎ調整用のボリュームつまみ３２と回路基板２６に配設されている。
【００２８】
この明るさ調整用のボリュームつまみ３０は、回路基板２６に配設された支持体３４に回転自在に配設され、溝部３０ａが形成されている。そして、溝部３０ａが本体部２２の壁面２２ｃに穿設された孔２２ｅの開口部２２ｅｅ近傍に位置するようにして、明るさ調整用のボリュームつまみ３０は回路基板２６に配設されている。
【００２９】
一方、ゆらぎ調整用のボリュームつまみ３２は、回路基板２６に配設された支持体３６に回転自在に配設され、溝部３２ａが形成されている。そして、溝部３２ａが本体部２２の壁面２２ｃに穿設された孔２２ｆの開口部２２ｆｆ近傍に位置するようにして、ゆらぎ調整用のボリュームつまみ３２は回路基板２６に配設されている。
【００３０】
従って、ユーザーが工具、例えば、マイナスドライバーを使用し、当該マイナスドライバーをケース１６の本体部２２の孔２２ｅに挿入し、その先端を溝部３０ａに係止させて、明るさ調整用のボリュームつまみ３０を回転させることにより、フィラメント１４に流れる電流の電流値の大きさを設定して、電球１０の明るさを任意に設定することができる。
【００３１】
また、ユーザーがマイナスドライバーをケース１６の本体部２２の孔２２ｆに挿入し、その先端を溝部３２ａに係止させて、ゆらぎ調整用のボリュームつまみ３２を回転させることにより、フィラメント１４に流れる電流の電流値の大きさが時間軸に沿って不規則に変化する強弱を設定して、電球１０の明るさが時間軸で変化する強弱を任意に設定することができる。
【００３２】
以上の構成において、本発明による電球１０を点灯させるには、まず、ユーザーが予め、明るさ調整用のボリュームつまみ３０によって明るさを設定するとともに、ゆらぎ調整用のボリュームつまみ３２によって明るさの変化の強弱を設定する。
【００３３】
そして、電球１０の口金２０を照明装置１００の電球ソケット１０２にネジ込んでネジ結合させて通電すると、ケース１６の内部１６ａに配設された調光ユニット１８の制御回路２８（図４参照）によって、明るさ調整用のボリュームつまみ３０による設定とゆらぎ調整用のボリュームつまみ３２による設定とに基づいた電流値の電流が、フィラメント１４に流れて、電球１０が点灯する。
【００３４】
こうして点灯する電球１０は、その明るさが時間の経過に伴って不規則に変化し、ろうそくの炎のようにゆらゆらと動くランダムな明るさを電気的に模擬することができる。
【００３５】
上記したように、本発明による電球１０においては、バルブ１２とケース１６と調光ユニット１８と口金２０とを一体化したため、簡単な構成で、ゆらゆらと動くランダムな明るさを模擬することできる。
【００３６】
従って、本発明による電球１０によれば、従来のろうそくの炎などを模擬する照明装置のように別体のコントローラーを外付けして付加する必要がなく、単に本発明による電球１０を通常の照明装置に取り付ければよいので、照明装置を設置する場所においても邪魔にならず、しかも、インテリアとしての照明装置の美観を損ねることがない。
【００３７】
また、本発明による電球１０によれば、従来のろうそくの炎などを模擬する照明装置のように複数の光源を配設する必要もなく、しかも簡単な構成なので、コストを低減することができ、制御も容易で制御回路２８の負荷が少なくてすむ。
【００３８】
そして、本発明による電球１０は、口金２０に対応する電球ソケットを有する照明装置であれば、各種の照明装置に用いることができるので、非常に汎用性の高いものである。つまり、通常市販されている電球を使用できる器具であれば、その光源を本発明による電球１０に取り換えるだけで、調光による演出効果を安価に実現できるものである。
【００３９】
また、本発明による電球１０は、ケース１６の本体部２２の孔２２ｅ，２２ｆに明るさ調整用のボリュームつまみ３０やゆらぎ調整用のボリュームつまみ３２が位置しているので、ユーザーが容易に明るさや明るさの変化の強弱を設定することができる。従って、電球１０の使用場所などでも簡単に明るさや明るさの変化の強弱を変更することができ、専門家による工事なども必要としない。さらに、電球１０に送る出力をゆっくりと上下させることで、消費電力も節減でき、電球の寿命も大きく伸ばすことができる。
【００４０】
なお、上記した実施の形態においては、図１に示すような構成の電球１０としたが、これに限られるものではないことは勿論であり、本発明の電球１０のバルブ１２の形状や口金２０の種類などは適宜変更するようにしてもよい（図５参照）。
【００４１】
また、上記した実施の形態においては、図４に示すような構成の制御回路２８を用いるようにしたが、これに限られるものではないことは勿論であり、光源からの光出力が時間軸で不規則に変化するように調節可能な回路を調光ユニット１８の制御回路として用いればよい。
【００４２】
また、上記した実施の形態においては、溝部３０ａを有する明るさ調整用のボリュームつまみ３０と、溝部３２ａを有するゆらぎ調整用のボリュームつまみ３２とを有するようにしたが、これに限られるものではないことは勿論であり、明るさ調整用のボリュームつまみやゆらぎ調整用のボリュームつまみの配設位置やその形状は適宜変更するようにしてもよい（図５参照）。
【産業上の利用可能性】
【００４３】
本発明は、温泉などの商業施設における照明設備や、家庭用のインテリアにおいて利用することができる。
【図面の簡単な説明】
【００４４】
【図１】本発明による電球の実施の形態の一例の一部を破断して示した概略構成一部断面図である。
【図２】（ａ）は図１に示す電球のケースの本体部を示す概略構成説明図であり、（ｂ）は（ａ）のＡ−Ａ線断面図である。
【図３】（ａ）は図１に示す電球のケースの蓋部を示す概略構成説明図であり、（ｂ）は（ａ）のＢ−Ｂ線断面図である。
【図４】調光ユニットの制御回路の一例を示す回路図である。
【図５】本発明による電球の実施の形態の他の例を示す概略構成説明図である。
【符号の説明】
【００４５】
１０  電球
１２  バルブ
１４  フィラメント
１６  ケース
１８  調光ユニット
２０  口金
３０  明るさ調整用のボリュームつまみ
３２  ゆらぎ調整用のボリュームつまみ
【図１】
2005085606.tif 000003
【図２】
2005085606.tif 000004
【図３】
2005085606.tif 000005
【図４】
2005085606.tif 000006
【図５】
2005085606.tif 000007